(57)【要約】【課題】検針機からの要求により、無線送受信機から計量器の検針結果信号を送信し、これを検針機で受信して検針する無線検針装置において、検針機と無線送受信機との間の受信状態を簡単にチェックできるようにして検針効率を向上させる。【解決手段】無線送受信機２において、通信時に検針機から送られてくる検針要求信号の電界強度を電界強度測定手段５にて測定して、その測定した電界強度データを応答時に送信し、検針機側でこれを受信して電界強度を表示手段にて表示する。【選択図】図２
2006236383.tif 000002
【特許請求の範囲】
【請求項１】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記検針機は、通信時に前記無線送受信機側から送られてくる応答信号の電界強度を電界強度測定手段にて測定し、その強度を表示手段にて表示することを特徴とする、無線検針装置。
【請求項２】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記無線送受信機は、通信時に前記検針機から送られてくる検針要求信号の電界強度を電界強度測定手段にて測定し、応答信号に受信時の電界強度データを送信することを特徴とする、無線検針装置。
【請求項３】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記無線送受信機は、通信時に前記検針機から送られてくる検針要求信号の電界強度を電界強度測定手段にて測定して、その電界強度データを応答時に送信し、前記検針機は、前記無線送受信機より送られてくる電界強度データを表示手段にて表示することを特徴とする、無線検針装置。
【請求項４】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記無線送受信機は、通信終了後に電界強度測定用の信号を送信し、その電界強度を前記検針機の電界強度測定手段にて測定することを特徴とする、無線検針装置。
【請求項５】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記無線送受信機は、スイッチにより電界強度測定用の信号を送信し、その電界強度を前記検針機の電界強度測定手段にて測定することを特徴とする、無線検針装置。
【請求項６】
検針機から検針要求信号を送信し、その検針要求信号を受けたとき、無線送受信機から、それに接続する計量器の検針結果信号を送信し、その検針結果信号を前記検針機で受信することにより検針を行う無線検針装置において、前記無線送受信機は、前記検針機により送信要求を受けたとき、電界強度測定用の信号を送信し、その電界強度を前記検針機の電界強度測定手段にて測定することを特徴とする、無線検針装置。
【発明の詳細な説明】
【技術分野】
【０００１】
この発明は、ガスメータ、水道メータ、温水メータ、ジュールメータ、電力計等の計量器の無線検針を行う無線検針装置に関する。
【背景技術】
【０００２】
従来、検針員が現地に行って、この種の無線検針装置を用いて計量器の検針を行う場合に、検針を行う位置において、エラーが発生するとき等、そのエラーが、電波が届いているにもかかわらずノイズ等によるものなのか、電波が届いていないことによるものなのか、その判断ができなかった。
【０００３】
また、検針できたとしても良好な受信状態で検針ができたのか、劣悪な状態でかろうじて受信できているのか、その判断できないため、一度検針が行えると毎回その位置から検針するようになるが、周りの状況変化で検針できなくなるようなこともあり、周辺の状況変化による通信状態の悪化したことが検知できないという問題があった。
【０００４】
特許文献１に記載のものでは、計量器からの計測データを受信する受信部での受信状態を監視するようにしている。
【０００５】
【特許文献１】特開平６−２８４２１３号公報
【発明の開示】
【発明が解決しようとする課題】
【０００６】
ところが、この特許文献１に記載のものは、計量器の設置場所を決める場合、受信状態の良し悪しを判断して、受信状態の良いところを選ぶ目的のもので、検針機と無線送受信機と計量器とかなる検針システムにおける、検針機と無線送受信機との間の電波の受信状態を監視する考えは無い。
【０００７】
この発明は、検針機と無線送受信機との間の受信状態を簡単にチェックできることにより、検針員による無線検針業務を効率よく行えるようにすることを目的とする。
【課題を解決するための手段】
【０００８】
この発明は、検針機から検針要求信号を送信し、その検針要求信号を受けたとき、無線送受信機から、それに接続する計量器の検針結果信号を送信し、その検針結果信号を検針機で受信することにより検針を行う無線検針装置において、次の点に特徴がある。
【０００９】
すなわち、請求項１に係る発明では、検針機が、通信時に無線送受信機側から送られてくる応答信号の電界強度を電界強度測定手段にて測定し、その強度を表示手段にて表示する。
【００１０】
請求項２に係る発明では、無線送受信機が、通信時に検針機から送られてくる検針要求信号の電界強度を電界強度測定手段にて測定し、応答信号に受信時の電界強度データを送信する。
【００１１】
請求項３に係る発明では、無線送受信機が、通信時に検針機から送られてくる検針要求信号の電界強度を電界強度測定手段にて測定して、その電界強度データを応答時に送信し、検針機は、無線送受信機より送られてくる電界強度データを表示手段にて表示する。
【００１２】
請求項４に係る発明では、無線送受信機が、通信終了後に電界強度測定用の信号を送信し、その電界強度を検針機の電界強度測定手段にて測定する。
【００１３】
請求項５に係る発明では、無線送受信機が、スイッチにより電界強度測定用の信号を送信し、その電界強度を検針機の電界強度測定手段にて測定する。
【００１４】
請求項６に係る発明では、無線送受信機は、検針機により送信要求を受けたとき、電界強度測定用の信号を送信し、その電界強度を検針機の電界強度測定手段にて測定する。
【発明の効果】
【００１５】
請求項１に係る発明によれば、無線送受信機からの電波の強さが把握でき、電波の弱い場合は近づいて検針する等の措置が取れるため、周囲の状況を確認でき、検針効率が良くなる。
【００１６】
請求項２に係る発明によれば、無線送受信機においての受信電界強度を計測し、検針機に知らせることができるようになる。
【００１７】
請求項３に係る発明によれば、無線送受信機の電波の強さが把握でき、電波の弱い場合は、近づいて検針する等の措置が取れるため、周囲の状況を確認でき、検針効率が良くなる。
【００１８】
請求項４に係る発明によれば、検針終了後に周囲の状況を確認でき、次回検針に行ったときの目安とすることができる。
【００１９】
請求項５および６に係る発明によれば、無線送受信機との通信ができなくなった場合に、電波送出できるようにすることで、故障なのか電波が弱くなったのかを判断できるようになる。
【発明を実施するための最良の形態】
【００２０】
次に、この発明の実施の形態を図面にしたがって詳細に説明する。
【００２１】
図１は、この発明を適用するシステム構成を示す。
この検針システムは、供給媒体の使用量等を計測する計量器３と、計量器３の検針値を要求し、検針値等の情報を表示したりする検針機１と、検針機１からの要求信号に対して、計量器３の検針値等の読出した情報や、もしくはあらかじめ記憶している情報を検針機１と送受信するための無線送受信機２とから構成されている。
【００２２】
図２には、無線送受信機２の構成を示す。無線送受信機２は、電波データを復調したり、また送信データを変調して送出する無線送受信手段４と、電波データを受信した場合、電波の強さを測定するための電界強度測定手段５と、計量器３からの情報を読み取るためのメータ情報読取手段７と、無線送受信手段４や電界強度測定手段５やメータ情報読取手段７を制御したり、データを処理したりする情報制御手段６と、図示しない電源等から構成されている。
【００２３】
図３には、検針機１の構成を示す。検針機１は、電波データを復調したり、また送信データを変調して送出する無線送受信手段８と、電波データを受信した場合、電波の強さを測定するための電界強度測定手段９と、メータ情報等を表示するための表示手段１１と、要求信号等を入力するための電気信号入力手段１２と、無線送受信手段８や電界強度測定手段９や表示手段１１や電気信号入力手段１２を制御したり、データを処理したりする情報制御手段１０と、図示しない電源等から構成されている。図示した検針機１は一体型となっているが、電気信号入力手段１２の代わりに、既製のハンディーターミナル等と接続して検針を行っても良い。
【００２４】
上記のような構成において、この発明の実施形態として次のような態様がある。第１の形態は、無線通信中に無線送受信機２から送られてくる電波の強さを、検針機１の電界強度測定手段９にて測定し、その結果を検針機１の表示手段１１に表示する。その表示方法については、ＬＥＤを一定個数並べ、電界強度によって点灯・消灯したり、液晶等でバー表示を伸ばしたり縮めたり、もしくは数値化して表示したりするなどが考えられる。
【００２５】
第２の形態は、無線通信中に検針機１から送られてくる電波の強さを、無線送受信機２側の電界強度測定手段５にて測定し、その結果を、無線送受信機２の情報制御手段６により検針機１に応答電文を返すときに送信する。
【００２６】
第３に形態は、第２の形態のように応答電文で送られてくる無線送受信機２の受信電界強度データを、検針機１側の表示手段１１に表示する。表示方法については、上記と同様に表示すれば良い。
【００２７】
第４の形態は、通信終了後に電界測定用の電波を無線送受信機２より送信し、その電波の強さを検針機１の電界強度測定手段９にて測定する。
【００２８】
第５の形態は、図示しないリードスイッチや押しボタンスイッチや磁気センサやホール素子などのスイッチがオンされることにより、電界測定用の電波を無線送受信機２より送信し、その電波の強さを検針機１の電界強度測定手段９にて測定する。その送出時間については、一定時間で停止しても良いし、再度スイッチが入力されるまで連続で送出するようにしても良い。
【００２９】
第６の形態は、検針機１より電波要求信号を受信した場合に、電界測定用の電波を無線送受信機２より送信し、その電波の強さを検針機１の電界強度測定手段９にて測定する。
【図面の簡単な説明】
【００３０】
【図１】この発明を適用する検針システムの構成図である。
【図２】無線送受信機の構成を示すブロック図である。
【図３】検針機の構成を示すブロック図である。
【符号の説明】
【００３１】
１    検針機
２    無線送受信機
３    計量器（メータ）
４    無線送受信手段
５    電界強度測定手段
６    情報制御手段
７    メータ情報読取手段
８    無線送受信手段
９    電界強度測定手段
１０    情報制御手段
１１    表示手段
１２    電気信号入力手段
【図１】
2006236383.tif 000003
【図２】
2006236383.tif 000004
【図３】
2006236383.tif 000005
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
検針側無線送受信手段から検針要求信号を送信し、その検針要求信号を受けたとき、計量器側無線送受信手段から、それに接続する計量器の検針結果信号を送信し、その検針結果信号を前記検針側無線送受信手段で受信することにより検針を行う無線検針装置において、前記検針側無線送受信手段は、通信時に前記計量器側無線送受信手段側から送られてくる信号の電界強度を電界強度測定手段にて測定することを特徴とする、無線検針装置。
【請求項２】
検針側無線送受信手段から検針要求信号を送信し、その検針要求信号を受けたとき、計量器側無線送受信手段から、それに接続する計量器の検針結果信号を送信し、その検針結果信号を前記検針側無線送受信手段で受信することにより検針を行う無線検針装置において、前記計量器側無線送受信手段は、通信時に前記検針側無線送受信手段から送られてくる信号の電界強度を電界強度測定手段にて測定し、その電界強度データを送信することを特徴とする、無線検針装置。
【請求項３】
検針側無線送受信手段から検針要求信号を送信し、その検針要求信号を受けたとき、計量器側無線送受信手段から、それに接続する計量器の検針結果信号を送信し、その検針結果信号を前記検針側無線送受信手段で受信することにより検針を行う無線検針装置において、前記計量器側無線送受信手段は、検針結果信号とは別に電界強度測定用の信号を送信し、その電界強度を前記検針側無線送受信手段の電界強度測定手段にて測定することを特徴とする、無線検針装置。
【請求項４】
検針側無線送受信手段から検針要求信号を送信し、その検針要求信号を受けたとき、計量器側無線送受信手段から、それに接続する計量器の検針結果信号を送信し、その検針結果信号を前記検針側無線送受信手段で受信することにより検針を行う無線検針装置において、前記計量器側無線送受信手段は、スイッチにより電界強度測定用の信号を送信し、その電界強度を前記検針側無線送受信手段の電界強度測定手段にて測定することを特徴とする、無線検針装置。
【請求項５】
検針側無線送受信手段から検針要求信号を送信し、その検針要求信号を受けたとき、計量器側無線送受信手段から、それに接続する計量器の検針結果信号を送信し、その検針結果信号を前記検針側無線送受信手段で受信することにより検針を行う無線検針装置において、前記計量器側無線送受信手段は、前記検針側無線送受信手段により送信要求を受けたとき、電界強度測定用の信号を送信し、その電界強度を前記検針側無線送受信手段の電界強度測定手段にて測定することを特徴とする、無線検針装置。
【手続補正２】
【補正対象書類名】明細書
【補正対象項目名】全文
【補正方法】変更
【補正の内容】
【発明の詳細な説明】
【技術分野】
【０００１】
この発明は、ガスメータ、水道メータ、温水メータ、ジュールメータ、電力計等の計量器の無線検針を行う無線検針装置に関する。
【背景技術】
【０００２】
従来、検針員が現地に行って、この種の無線検針装置を用いて計量器の検針を行う場合に、検針を行う位置において、エラーが発生するとき等、そのエラーが、電波が届いているにもかかわらずノイズ等によるものなのか、電波が届いていないことによるものなのか、その判断ができなかった。
【０００３】
また、検針できたとしても良好な受信状態で検針ができたのか、劣悪な状態でかろうじて受信できているのか、その判断できないため、一度検針が行えると毎回その位置から検針するようになるが、周りの状況変化で検針できなくなるようなこともあり、周辺の状況変化による通信状態の悪化したことが検知できないという問題があった。
【０００４】
特許文献１に記載のものでは、計量器からの計測データを受信する受信部での受信状態を監視するようにしている。
【０００５】
【特許文献１】特開平６−２８４２１３号公報
【発明の開示】
【発明が解決しようとする課題】
【０００６】
ところが、この特許文献１に記載のものは、計量器の設置場所を決める場合、受信状態の良し悪しを判断して、受信状態の良いところを選ぶ目的のもので、検針機と無線送受信機と計量器とかなる検針システムにおける、検針機と無線送受信機との間の電波の受信状態を監視する考えは無い。
【０００７】
この発明は、検針機等の検針側と無線送受信機等の計量器側との間の受信状態を簡単にチェックできることにより、検針員による無線検針業務を効率よく行えるようにすることを目的とする。
【課題を解決するための手段】
【０００８】
この発明は、検針側無線送受信手段から検針要求信号を送信し、その検針要求信号を受けたとき、計量器側無線送受信手段から、それに接続する計量器の検針結果信号を送信し、その検針結果信号を検針側無線送受信手段で受信することにより検針を行う無線検針装置において、次の点に特徴がある。
【０００９】
すなわち、請求項１に係る発明では、検針側無線送受信手段が、通信時に計量器側無線送受信手段側から送られてくる信号の電界強度を電界強度測定手段にて測定する。
【００１０】
請求項２に係る発明では、計量器側無線送受信手段が、通信時に検針側無線送受信手段から送られてくる信号の電界強度を電界強度測定手段にて測定し、その電界強度データを送信する。
【００１１】
請求項３に係る発明では、計量器側無線送受信手段が、検針結果信号とは別に電界強度測定用の信号を送信し、その電界強度を検針側無線送受信手段の電界強度測定手段にて測定する。
【００１２】
請求項４に係る発明では、計量器側無線送受信手段が、スイッチにより電界強度測定用の信号を送信し、その電界強度を検針側無線送受信手段の電界強度測定手段にて測定する。
【００１３】
請求項５に係る発明では、計量器側無線送受信手段は、検針側無線送受信手段により送信要求を受けたとき、電界強度測定用の信号を送信し、その電界強度を検針側無線送受信手段の電界強度測定手段にて測定する。
【発明の効果】
【００１４】
請求項１に係る発明によれば、計量器側無線送受信手段からの電波の強さが把握でき、電波の弱い場合は近づいて検針する等の措置が取れるため、周囲の状況を確認でき、検針効率が良くなる。
【００１５】
請求項２に係る発明によれば、計量器側無線送受信手段においての受信電界強度を計測し、検針側無線送受信手段に知らせることができるようになる。
【００１６】
請求項３に係る発明によれば、検針終了後に周囲の状況を確認でき、次回検針に行ったときの目安とすることができる。
【００１７】
請求項４および５に係る発明によれば、計量器側無線送受信手段との通信ができなくなった場合に、電波送出できるようにすることで、故障なのか電波が弱くなったのかを判断できるようになる。
【発明を実施するための最良の形態】
【００１８】
次に、この発明の実施の形態を図面にしたがって詳細に説明する。
【００１９】
図１は、この発明を適用するシステム構成を示す。
この検針システムは、供給媒体の使用量等を計測する計量器３と、計量器３の検針値を要求し、検針値等の情報を表示したりする検針機１と、検針機１からの要求信号に対して、計量器３の検針値等の読出した情報や、もしくはあらかじめ記憶している情報を検針機１と送受信するための無線送受信機２とから構成されている。
【００２０】
図２には、無線送受信機２の構成を示す。無線送受信機２は、電波データを復調したり、また送信データを変調して送出する無線送受信手段４と、電波データを受信した場合、電波の強さを測定するための電界強度測定手段５と、計量器３からの情報を読み取るためのメータ情報読取手段７と、無線送受信手段４や電界強度測定手段５やメータ情報読取手段７を制御したり、データを処理したりする情報制御手段６と、図示しない電源等から構成されている。
【００２１】
図３には、検針機１の構成を示す。検針機１は、電波データを復調したり、また送信データを変調して送出する無線送受信手段８と、電波データを受信した場合、電波の強さを測定するための電界強度測定手段９と、メータ情報等を表示するための表示手段１１と、要求信号等を入力するための電気信号入力手段１２と、無線送受信手段８や電界強度測定手段９や表示手段１１や電気信号入力手段１２を制御したり、データを処理したりする情報制御手段１０と、図示しない電源等から構成されている。図示した検針機１は一体型となっているが、電気信号入力手段１２の代わりに、既製のハンディーターミナル等と接続して検針を行っても良い。
【００２２】
上記のような構成において、この発明の実施形態として次のような態様がある。第１の形態は、無線通信中に無線送受信機２の無線送受信手段４から送られてくる電波の強さを、検針機１の電界強度測定手段９にて測定し、その結果を検針機１の表示手段１１に表示する。その表示方法については、ＬＥＤを一定個数並べ、電界強度によって点灯・消灯したり、液晶等でバー表示を伸ばしたり縮めたり、もしくは数値化して表示したりするなどが考えられる。
【００２３】
第２の形態は、無線通信中に検針機１の無線送受信手段８から送られてくる電波の強さを、無線送受信機２側の電界強度測定手段５にて測定し、その結果を、無線送受信機２の情報制御手段６により検針機１に応答電文を返すときに送信する。
【００２４】
第３の形態は、通信終了後に電界測定用の電波を無線送受信機２の無線送受信手段４より送信し、その電波の強さを検針機１の電界強度測定手段９にて測定する。
【００２５】
第４の形態は、図示しないリードスイッチや押しボタンスイッチや磁気センサやホール素子などのスイッチがオンされることにより、電界測定用の電波を無線送受信機２の無線送受信手段４より送信し、その電波の強さを検針機１の電界強度測定手段９にて測定する。その送出時間については、一定時間で停止しても良いし、再度スイッチが入力されるまで連続で送出するようにしても良い。
【００２６】
第５の形態は、検針機１の無線送受信手段８より電波要求信号を受信した場合に、電界測定用の電波を無線送受信機２の無線送受信手段４より送信し、その電波の強さを検針機１の電界強度測定手段９にて測定する。
【図面の簡単な説明】
【００２７】
【図１】この発明を適用する検針システムの構成図である。
【図２】無線送受信機の構成を示すブロック図である。
【図３】検針機の構成を示すブロック図である。
【符号の説明】
【００２８】
１    検針機
２    無線送受信機
３    計量器（メータ）
４    無線送受信手段
５    電界強度測定手段
６    情報制御手段
７    メータ情報読取手段
８    無線送受信手段
９    電界強度測定手段
１０    情報制御手段
１１    表示手段
１２    電気信号入力手段